(57)【要約】  【課題】基台を大型化せず且つテープカッターの機能を損ねずに、一部にペンやそれ以外の物品の保管場所として有効利用できるスペースを確保したテープカッターを新たに提供する。  【解決手段】基台１に少なくとも上方に開放された凹所２を設け、この凹所２内にテープ４を取り付けた状態のリール３を収容するように構成する。この際、凹所２の空いている部分をペン等の物品Ａを差し込む差込スペース５として設定し、その差込スペース５に、差し込んだ物品Ａをテープ４やリール３と干渉しない状態に保持する保持手段６を設けることとした。  【選択図】図２
2008094613.tif 000002
【特許請求の範囲】
【請求項１】
基台に少なくとも上方に開放された凹所を設け、この凹所内にテープを取り付けた状態のリールを収容するようにしたものにおいて、前記凹所の一部をペン等の物品を差し込む差込スペースとして設定し、その差込スペースに、差し込んだ物品をテープやリールと干渉しない状態に保持する保持手段を設けたことを特徴とするテープカッター。
【請求項２】
差込スペースが、リール又はテープの外周と凹所内の立面ないし底面との間に設定されている請求項１記載のテープカッター。
【請求項３】
立面がほぼ鉛直に近い状態にあるとともに、底面がほぼ水平に近い状態にあり、差込スペースが立面と底面の入隅を頂点とするほぼ直角三角形ないしその近傍領域に設定されて、保持手段により物品を傾斜姿勢に保持するようにしている請求項２記載のテープカッター。
【請求項４】
保持手段が、底面に設けた凹凸部を含み、立面に立て掛けた物品の下端を前記底面の凹凸部に係り合わせて停止させるようにしたものである請求項２又は３記載のテープカッター。
【請求項５】
凹凸部が、リブ又は溝によって形成されている請求項４記載のテープカッター。
【請求項６】
リブ又は溝が、リールの軸心に平行に延びるものである請求項５記載のテープカッター。
【請求項７】
リブ又は溝が複数条に併設されている請求項５又は６記載のテープカッター。
【請求項８】
リブ又は溝が鋸歯状をなし、物品の下端を斜面に沿って滑り落ちた箇所に保持するようにしている請求項５，６又は７記載のテープカッター。
【発明の詳細な説明】
【技術分野】
【０００１】
本発明は、一部にペン等の物品を差し込んでペン立て等として利用できるようにしたテープカッターに関するものである。
【背景技術】
【０００２】
一般的にテープカッターは、基台にカッター刃、及び、前方ないし上方に開放された凹所を設け、この凹所内にテープを取り付けた状態のリールを収容して、必要量だけ繰り出したテープを離間位置に存する前記カッター刃において切断するように構成される。
【０００３】
この場合、凹所の内面は、テープの外周に沿って基台の上面側から底面側に向けて円弧状に滑らかに形成されているのが通例であり、テープを取り付けたリールを装填した状態で、テープの外周と凹所の内面との間にほぼ一定のクリアランスが形成された状態にある。
【０００４】
ところで、テープカッターが必要となる事務作業時には、通常ペン等も頻繁に用いられるため、上述したテープカッターの凹所にペン等を差し込んでペン立てとして代用する人も少なくない。
【０００５】
しかしながら、凹所の内面は湾曲しており、差し込んだペンは下端が凹所の内面に沿って滑り落ち、ペンの側面がテープの外周に突き当たりペン先がテープの下に潜り込んだ状態で停止する。このため、この状態ではもはやテープカッターが使用できない状態となり、事務作業に却って支障を来たす要因となっている。
【０００６】
このような不都合を解消するために、例えば特許文献１に示されるように、基台の凹所の内面に縦方向に開口するペン立て用の穴を設け、この穴に上方からペンを真っ直ぐに差し込めるようにしたものも考えられている。
【特許文献１】実開平６−７６２４９号公報
【発明の開示】
【発明が解決しようとする課題】
【０００７】
しかしながら、ペンの太さや種類はまちまちであり、その上、事務作業時にはペン以外の筆記具やカッター、物差し等を併用することも多い。このため、上記のようなペン立て用の穴を設けるだけでは、機能的に不十分な感が否めない。
【０００８】
また、上記特許文献のものは、凹所の湾曲した面に対し上方からペンを真っ直ぐ起立させて差し込む際に、ペンがリールやテープと干渉しないように、湾曲面をテープから離れる方向に引き伸ばしたような形状にしてあり、これによりテープからペン立て用の穴までの水平方向距離をとるようにしている。このため、基台全体が大型化するという難点もある。
【０００９】
本発明は、このような課題を有効に解消し、基台を大型化せず且つテープカッターとしての機能を損ねずにペンやそれ以外の物品の保管場所として有効利用できるスペースを確保したテープカッターを新たに提供することを目的としている。
【課題を解決するための手段】
【００１０】
本発明は、かかる目的を達成するために、次のような手段を講じたものである。
【００１１】
すなわち、本発明のテープカッターは、基台に少なくとも上方に開放された凹所を設け、この凹所内にテープを取り付けた状態のリールを収容するようにしたものにおいて、前記凹所の一部、具体的にはリールやテープの配置空間に臨む部位をペン等の物品を差し込む差込スペースとして設定し、その差込スペースに、差し込んだ物品をテープやリールと干渉しない状態に保持する保持手段を設けたことを特徴とする。
【００１２】
このように構成すると、リールを収容する凹所の空いている部分を差込スペースとして利用でき、その差込スペースにおいて保持手段が物品を傾斜姿勢に保持することから、差込スペースを効率良く使用してリールやテープと干渉し難い姿勢がとれ、基台を大型化せずに物品収納機能を有効に実現できることとなる。
【００１３】
既存のテープカッターの構造を踏襲しつつ所期の目的を達成するためには、差込スペースを、リール又はテープの外周と凹所内の立面ないし底面との間に設定するのが好ましい。
【００１４】
具体的には、立面がほぼ鉛直に近い状態にあり、底面がほぼ水平に近い状態にあり、差込スペースが立面と底面の入隅を頂点とするほぼ直角三角形ないしその近傍領域に設定されて、保持手段により物品を傾斜姿勢に保持するようにしていることが有効である。
【００１５】
保持手段の好ましい実施の態様としては、底面に設けた凹凸部を含み、立面に立て掛けた物品の下端を前記底面の凹凸部に係り合わせて停止させるようにしているものが挙げられる。
【００１６】
ペン以外の物品に適用でき、挿し込み位置の自由度ももたせるためには、凹凸部は、リブ又は溝であることが望ましい。
【００１７】
この場合、リールやテープに対して一定の干渉防止効果を奏するには、リブ又は溝が、リールの軸心に平行に延びるものにしておくことが好ましい。
【００１８】
このような保持機能をより高めるためには、リブ又は溝が複数条に併設されていることが効果的である。
【００１９】
無造作に差し込んでも所定の状態となるようにするためには、リブ又は溝が鋸歯状をなし、物品の下端を斜面に沿って滑り落ちた箇所に保持するようにしてこくことが便利である。
【発明の効果】
【００２０】
本発明は、以上説明した構成であるから、基台の大型化を回避しつつ、基台の凹所内にペンその他の物品をテープカッターの機能を損なわない状態で有効に差し込んで保持できるようにした新規有用なテープカッターを提供することが可能となる。
【発明を実施するための最良の形態】
【００２１】
以下、本発明の一実施形態を、図面を参照して説明する。
【００２２】
このテープカッターは、図１に示すように、基台１の凹所２内にリール３を挿入して、凹所２の内壁に設けたリール装填部２１にリール３の軸部３１を支持させるようにしたものであり、装填時にそのリール３に図２に示すごとくテープ４を取り付けることにより、離間位置に設けたカッター刃１１にまでテープ４を繰り出せるようにしている。そして、このような使用状態を損なうことなく、リール３やテープ４の側方と基台１の凹所２の内面との間に図中網掛けで示すような差込スペース５を設定し、その差込スペース５を、図３に示すようにペン７やその他の物品Ａを上方から差し込んで保持する収納空間として利用可能としている。
【００２３】
具体的に説明すると、リール２を受容する基台１は、樹脂成形により、一対の側壁１ａ、後壁１ｂ及び底壁１ｄの間に上方及びテープ引出し側に開口する凹所２を設けてこの凹所２内にリール装填部２１を構成するとともに、テープ引き出し側に位置する前壁１ｃにテープを裁断するカッター刃１１を設け、このカッター刃１１を回転動作を通じて開閉する位置にカバー１２を付帯させたものである。リール装填部２１は、リール２の軸部２１を上方から落とし込み、その落とし込んだ位置からテープ引き出し側に若干移動させるための溝２１ａを側壁１ａの内面に設けたもので、その移動端においてリール２を上方への抜脱を禁止しつつ回転可能に支持するようにしている。
【００２４】
一方、この実施形態のリール３は、スター状の腕を有するリール構成体３ａを一対に突き合わせて構成され、その腕の先端の屈曲した部位がテープ４を外側に嵌め込むことの可能なテープ取付部３１として機能する。また、このリール３の軸部３１付近には突き合わせた状態で小径リール取付部３２が構成されるようにしている。この小径テープ取付部３２は、図２に示した通常のテープ４よりも小径なテープを保持するためのもので、リール構成体３ａを突き合わせる際に小径テープを保持させ、突き合わせた状態で腕と腕の隙間からテープを繰り出して使用することを可能としている。
【００２５】
そして本実施形態は、前記差込スペース５を確保する際に、差し込んだ物品Ａをテープ４やリール３と干渉しない状態に保持する保持手段６を設けている。
【００２６】
差込スペース５は、リール３又はテープ４の外周と、この外周に対し反引き出し側において対峙する凹所２内の立面５１ないし底面５２との間に設定されている。具体的には、後壁１ｂの内面である前記凹所２内の立面５１はほぼ鉛直に近い状態に設けられ、底壁１ｄの上面である前記凹所２内の底面５２はほぼ水平に近い状態に設けられており、差込スペース５は、図２に示すように立面５１と底面５２の入隅部を含むほぼ直角三角形状の領域ないしその近傍領域に亘って設定されている。
【００２７】
一方、保持手段６は、凹所２の底面５２に形成した凹凸部６１と前記立面５１とによってその機能を発揮するもので、凹凸部６１はリール２の軸心ｍに対し平行をなして底面５２の前後方向間欠位置に、物品Ａの下端が引っ掛かる程度の低いリブ（突条）６１ａを複数個設けた構成からなる。そして、この保持手段６により、図３に示すように立面５１に立て掛けた物品Ａの下端を底面５２の凹凸部６１を構成するリブ６１ａに係り合わせて、当該物品Ａを停止させるようにしている。
【００２８】
すなわち、差込スペース６に図示のように上方から例えばペン７を挿し込むと、ペン７はその上端７ａ側が凹所２の内面５１の上部に添接し、その下端７ｂ側が凹凸部６１のリブ６１ａに係り合ってリール３やテープ４の下に潜り込む方向に滑り落ちることが禁止される。そして、本実施形態では、図示のペン７であれば図中実線及び想像線で示すように右２つのリブ６１ａに係り合わせている限り傾斜姿勢においてペン７がリール３やテープ４と干渉しない状態で保持されるように設定してあり、更に物差し等の薄いものであれば左側のリブ６１ａに係り合わせてもリール３やテープ４と干渉しない姿勢に保持することが可能であり、これらと同時にテープカッターを適正に使用できる状態が確保されることとなる。さらに、テープ４の残量が少なくなったり小径テープ取付部３２に小径テープを取り付けているような場合には、差込スペース５はより広い範囲で利用できることとなる。
【００２９】
そして、このような効果は、ペン７や物差し以外にも、種々の筆記具、はさみ、カッターなど常識的な範囲で種々の事務用品その他の物品においても同様に奏される。
【００３０】
このように、本実施形態のテープカッターは、テープ４を取り付けた状態のリール３を収容する凹所２の空いている部分を物品Ａの差込スペース５として利用し、その差込スペース５に物品Ａをリール３等と干渉しない状態に保持する保持手段６を設けただけであって、基本的に基台１の外形寸法を拡張したり、一部に隔壁を設けたりして差込スペース５を別途に確保するものではないため、基台１の大型化や複雑化を有効に回避しつつ、テープカッターの機能と物品保持機能とを好適に両立させることができる。
【００３１】
その差込スペース５も、リール３又はテープ４の外周と凹所２内の立面５１ないし底面５２との間に設定しており、従来、リール又はテープの外周に沿って部分円弧をなしていた凹所２の内面を少しだけリール３やテープ４から遠ざける形状にするだけでよいので、基台１の外形寸法に影響を及ぼすことなく上記差込スペース５を簡単に確保することができる。
【００３２】
特に、立面５１がほぼ鉛直に近い状態に、また底面５２がほぼ水平に近い状態にそれぞれ形成してあり、差込スペース５が立面５１と底面５２の入隅を頂点とするほぼ直角三角形ないしその近傍領域に設定されて、保持手段６により物品Ａを傾斜姿勢に保持するものであるため、リール３又はテープ４の外周との間（特にこれらの下方に存在するデッドスペース）を無理なく効率的に活用して、物品保持機能を有効に実現することができる。
【００３３】
また、保持手段６に、底面５２に設けた凹凸部６１を含み、立面５１に立て掛けた物品Ａの下端を底面５２の凹凸部６１に係り合わせて停止させるようにしているため、上方から見て凹所２の奥方にある凹凸部６１が殆ど視認されない状態となり、テープカッターの外観を損ねることなく物品保持機能を有効に担保することができる。また、基本的に凹凸部６１を設けるだけであるから、構造も簡素で樹脂成型等により簡易に実現することが可能である。
【００３４】
その凹凸部６１も底面５２より突出させたリブ６１ａからなるため、ペンを差し込む穴状のものにする場合に比べて、ペンの太さはもとより差し込む物品の形や種類、大きさが常識的な範囲であれば制限がなく、差込位置もリブ６１ａが延びる方向に自由度があり、複数物品を同時に差し込んでも共通のリブ６１ａに支持させることができる。
【００３５】
さらに、リブ６１ａをリール３の軸心ｍに平行に形成しているので、軸心ｍに平行な方向に沿ってどの位置に物品Ａを差し込んでもリール３やテープ４との距離が一律となり、安定した干渉防止効果が奏されることとなる。
【００３６】
また、リブ６１ａを複数条に併設しているので、物品Ａの数や形状に応じた適切な保持姿勢を選択することが可能であり、また、係り合わせるリブ６１ａが変われば物品Ａは異なる角度で保持されるため、複数の物品Ａを収容する場合に物品Ａが同じ場所に偏らないため出し入れや収納を容易化できるという利点も伴うこととなる。
【００３７】
なお、各部の具体的な構成は、上述した実施形態のみに限定されるものではなく、本発明の趣旨を逸脱しない範囲で種々変形が可能である。
【００３８】
例えば凹凸部はリブではなく溝状とすることを妨げるものではないし、リブや溝は例えば平面視「く」の字に屈曲したようなものでも基本的効果は奏される。また、リブの断面形状も、例えば図４（ａ）に示すような鋸歯状のリブ１６１ａ、あるいは同図（ｂ）のような概略波状のリブ２６１ａにすれば、物品の下端がそれら鋸歯や波の斜面に沿って滑り落ちた箇所に保持されるので、無造作に差し込んでも、物品を所定姿勢に好適に誘導することができる。
【図面の簡単な説明】
【００３９】
【図１】本発明の一実施形態を示す斜視図。
【図２】同部分縦断面図。
【図３】同実施形態の作用説明図。
【図４】本発明の変形例を示す図。
【符号の説明】
【００４０】
１…基台
２…凹所
３…リール
４…テープ
５…差込スペース
５１…立面
５２…内面
６１…凹凸部
６１ａ…リブ
【図１】
2008094613.tif 000003
【図２】
2008094613.tif 000004
【図３】
2008094613.tif 000005
【図４】
2008094613.tif 000006